(57)【要約】【課題】複数種類の測定データがなくとも測定者であるユーザを識別して、ユーザそれぞれについて測定データを管理することができる電子機器を提供する。【解決手段】電子機器１０は、対象体である被測定者の体重の測定データと、対象体のそれぞれを示す各グループの少なくともいずれか１つとを対応づけて記憶する。制御部１６０は、対象体の測定結果である測定データを取得する。電子機器１０は、取得される測定データと記憶部１５０においてグループと対応付けて記憶されている測定データとの差分値と、予め設定される閾値とを比較する。電子機器１０は、差分値が閾値よりも小さい場合に、取得される測定データを各グループの少なくともいずれかに振り分け、差分値が閾値よりも大きい場合に、取得される測定データを新たなグループと対応付けて記憶部１５０に記憶させる。【選択図】図１
2017096795.tif 000002
【特許請求の範囲】
【請求項１】
測定の対象である各対象体の測定データを管理する電子機器であって、
前記対象体の測定データと、前記対象体のそれぞれを示す各グループの少なくともいずれか１つとを対応づけて記憶するように構成された記憶部と、
前記電子機器の動作を制御するように構成された制御部とを備え、
前記制御部は、
前記対象体の測定結果である前記測定データを取得する取得部と、
前記取得される前記測定データと前記記憶部において前記グループと対応付けて記憶されている測定データとの差分値と、予め設定される閾値とを比較し、前記差分値が前記閾値よりも小さい場合に、前記取得される前記測定データを各前記グループの少なくともいずれかに振り分け、前記差分値が前記閾値よりも大きい場合に、前記取得される前記測定データを新たなグループと対応付けて前記記憶部に記憶させるデータ管理部とを含む、電子機器。
【請求項２】
前記記憶部は、前記測定データが測定された時の情報を記憶するように構成されており、
前記制御部の前記データ管理部は、前記記憶部に記憶される前記測定データのうち、測定された時から一定期間が経過するまでの前記測定データを前記閾値との比較対象とするように構成されている、請求項１に記載の電子機器。
【請求項３】
前記制御部の前記データ管理部が前記測定データを前記記憶部に記憶させることには、前記閾値よりも小さい前記差分値が複数のグループにある場合に、前記取得される前記測定データと、当該複数のグループとを対応付けて前記記憶部に記憶させることが含まれる、請求項１または２に記載の電子機器。
【請求項４】
前記制御部の前記データ管理部は、前記グループと対応付けて前記記憶部に記憶される前記測定データ群に含まれる前記測定データ同士の差分が閾値を上回る場合に、前記測定データ群に含まれる前記測定データの一部を新たなグループと対応付けてグループを分離させて前記記憶部に記憶させるように構成されている、請求項１から３のいずれか１項に記載の電子機器。
【請求項５】
前記制御部は、前記取得される前記測定データを新たなグループと対応付ける場合に、ユーザに対し情報の入力を促すための報知処理を行うように構成されている、請求項１から４のいずれか１項に記載の電子機器。
【発明の詳細な説明】
【技術分野】
【０００１】
本開示は、電子機器に関し、特に、測定の対象である対象体の測定データを管理するための技術に関する。
【背景技術】
【０００２】
測定の対象である対象体を測定することで得られる測定データを管理する技術が従来からある。例えば、測定データが人間の体重である場合、日々変化する体重を、体重計などの電子機器によって記録することで、人間の体調管理などをすることができる。
【０００３】
このような電子機器は、複数人が使用することがある。そのため、例えば、予め電子機器のメモリに、電子機器を利用するユーザを登録しておき、ユーザが電子機器を使用する都度、ユーザ自身が電子機器の登録内容を呼び出して測定を行うことがある。
【０００４】
この他にも、測定データを管理するための電子機器の機能をさらに向上させるため、様々な技術が検討されている。例えば、特開２００２−３４５７７４号公報（特許文献１）は、測定者が個人のメモリ番号を覚えておかなくても一度個人情報を設定した後は、単に測定を行うだけで演算を行う生体測定装置の技術を記載している。特許文献１に記載された技術によると、生体測定装置は、初期に個人の身体情報を設定するとともに、体重値および生体電気インピーダンス値を測定して測定結果を個人それぞれについて記憶しておく。以後、生体測定装置は、体重値および生体電気インピーダンス値が測定されると、測定された値と、記憶されている各値とを比較して、最も近い値を測定者のデータであると判断することで、現在の測定者を判定している。こうすることで、測定者それぞれを生体測定装置が認識して測定結果を管理することができる。
【先行技術文献】
【特許文献】
【０００５】
【特許文献１】特開２００２−３４５７７４号公報
【発明の概要】
【発明が解決しようとする課題】
【０００６】
特許文献１に記載された技術によると、生体測定装置に測定者の体重および生体電気インピーダンスを事前に測定することで個人を判別することを可能としているが、生体電気インピーダンスの測定を前提としているため、生体電気インピーダンスの測定装置が欠かせないものとなる。また、事前に体重および生体電気インピーダンスなどの複数種類の測定データの登録がない場合は、個人の判別をすることができない。
【０００７】
そこで、本開示のある局面における目的は、複数種類の測定データがなくとも測定者であるユーザを識別して、ユーザそれぞれについて測定データを管理することができる電子機器を提供することである。
【課題を解決するための手段】
【０００８】
一実施形態に従う電子機器は、測定の対象である各対象体の測定データを管理するものである。電子機器は、対象体の測定データと、対象体のそれぞれを示す各グループの少なくともいずれか１つとを対応づけて記憶するように構成された記憶部と、電子機器の動作を制御するように構成された制御部とを備える。制御部は、対象体の測定結果である測定データを取得する取得部と、取得される測定データと記憶部においてグループと対応付けて記憶されている測定データとの差分値と、予め設定される閾値とを比較し、差分値が閾値よりも小さい場合に、取得される測定データを各グループの少なくともいずれかに振り分け、差分値が閾値よりも大きい場合に、取得される測定データを新たなグループと対応付けて記憶部に記憶させるデータ管理部とを含む。
【発明の効果】
【０００９】
一実施形態に従う電子機器は、測定データに対し少なくとも１つのグループを対応付けており、新たに取得される測定データと、各グループに含まれる測定データとの差分に基づいてグループの振り分けまたは新たなグループの設定をしているため、１種類の測定データによって、ユーザそれぞれをグループとして識別して測定データを管理することができる。
【００１０】
この発明の上記および他の目的、特徴、局面および利点は、添付の図面と関連して理解されるこの発明に関する次の詳細な説明から明らかとなるであろう。
【図面の簡単な説明】
【００１１】
【図１】電子機器１０の外観および機能的な構成を示す図である。
【図２】測定データ管理情報１５１のデータ構造を示す図である。
【図３】電子機器１０に測定データが保持されていない状態における電子機器１０の動作を示すフローチャートである。
【図４】電子機器１０に１つ以上の測定データの集合がある場合における電子機器１０の動作を示すフローチャートである。
【図５】電子機器１０が測定データ管理情報１５１の各グループを分割する処理を示すフローチャートである。
【発明を実施するための形態】
【００１２】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１３】
＜技術思想＞
まず、以下の実施の形態で説明する本発明の技術思想を説明する。
【００１４】
（体重の測定データのみによるユーザの判別）
本実施の形態の電子機器（電子機器１０、例えば体重計）は、測定の対象である各対象体（複数のユーザ）の測定データ（例えば、ユーザの体重の測定結果）を管理するものである。電子機器は、体重測定機能を有する。電子機器は、ユーザが体重を定期的に測定し、各ユーザの測定結果を管理するために用いられる。電子機器は、生体電気インピーダンスの測定を行わず、各ユーザの体重差によって、各ユーザを識別する。電子機器は、測定により生成される測定データ（体重）の履歴をメモリに記憶する。
【００１５】
電子機器は、新たにユーザの体重を測定した場合に、履歴を参照し、過去の一定期間内に測定された測定データと比較し、比較の結果、新たに測定した体重と、過去の履歴に保持される体重との差分が閾値以内である場合に、新たに測定した体重にかかるユーザが、過去の履歴に保持される体重にかかるユーザと同一であると判定する。また、電子機器は、新たに測定した体重と、過去の履歴に保持される体重との差分が閾値以上である場合は、新たに測定した体重にかかるユーザと、過去の履歴に保持される体重にかかるユーザとが別々のユーザであると判定する。
【００１６】
なお、体重の測定結果と比較するための閾値は、過去の一定期間内において、体重の変動幅として想定される範囲に基づいて定められる。例えば、過去の一定期間内におけるあるユーザの体重の履歴のうちの任意の測定データ（例えば、中央値）を基準とした一定割合の範囲内で、閾値が設定される。
【００１７】
（測定データの集合の統合）
電子機器は、体重の測定データが、過去の一定期間内に測定された第１のユーザの測定データの履歴（測定データの集合）と、第２のユーザの測定データの履歴とのいずれに対しても、差分が閾値以下となる場合がある。この場合、電子機器は、体重の測定データがいずれのユーザに振り分けるかを判別することは困難であるとして、体重の測定データを、第１のユーザおよび第２のユーザの共有のものとする。電子機器は、第１のユーザおよび第２のユーザの二人に限らず、体重の測定データが複数のユーザの測定データの履歴のいずれに対しても差分が閾値以下となる場合も同様に体重の測定データを各ユーザの共有のものとする。
【００１８】
（測定データの集合の分割）
電子機器は、あるユーザの過去の一定期間内に測定された測定データの履歴において、測定データの大小に基づき整列させた各測定データの差分が閾値を超える場合は、複数のユーザの測定データであるとして、差分が閾値を超える各測定データを境界として測定データの履歴を分割する。
【００１９】
（新規のユーザ設定時および測定データの集合の分割時のユーザへの通知）
このように、新たに測定された測定データが、過去の履歴に保持されるユーザとは別のユーザであると判定された場合、または、測定データの集合を分割する場合など、測定データに対して新たにユーザが設定される場合がある。電子機器は、この場合に、ディスプレイにユーザの情報の入力を促す表示をすること等により、ユーザに対して通知する。電子機器は、ユーザの情報の入力を受け付けて、受け付けたユーザの情報と、測定データの集合とを対応付ける。
【００２０】
（体重以外のデータ）
なお、本実施形態において、電子機器は、体重計であるとしてユーザの体重を測定データとして取得する例を説明するが、これに限らず、測定データが自動、または、被測定者以外の人手を要さずに測定できるものも含まれる。例えば、測定データとして、人間の身長、物体の電気抵抗などがある。
【００２１】
電子機器は、このように構成することで、例えば、被測定者が不特定多数であるなど事前に被測定者の情報（被測定者の体重など）を設定することが困難な場合であっても、電子機器が測定データの測定後に被測定者の情報を電子機器に入力させている。また、体重差が小さく、体重のみによっては被測定者の判別が困難な場合においても、測定データを複数の被測定者の共有のものとする。これにより、被測定者間の体重差が大きくなった場合は、電子機器が被測定者を分割することによって、体重の管理を継続することができる。
【００２２】
このように、電子機器は、過去の一定期間内における測定データを被測定者ごとの測定体重の集合とする。電子機器は、新たに得られた測定データを、既存の集合または新規に設定する集合に振り分けることで、被測定者それぞれを識別する。ただし、測定データが振り分けられたひとつの集合に対する被測定者は、１つ（１人、１個、・・・）とは限らないものとする。電子機器は、時間の経過により、過去の一定期間よりも以前となる測定データについては、測定データの集合から消去する。
【００２３】
電子機器は、初回の測定時、または、測定された測定データを、既存の集合ではなく新規に設定する集合に振り分ける場合に、以下の処理を行う。電子機器は、新たに得られた測定データに示される体重を体重“ｗ”とする。電子機器は、測定データの集合である集合“Ｗ１”を設定し、体重“ｗ”を、集合“Ｗ１”の要素とする。また、電子機器のディスプレイ等によりユーザに通知することで、ユーザから、集合“Ｗ１”に対応する被測定者の情報の入力を受け付ける。
【００２４】
電子機器は、メモリに、一つ以上の測定データの集合を保持している場合は、予め閾値Ｔを定めておき、被測定者のそれぞれに対応して、測定データの集合である集合“Ｗ１”、集合“Ｗ２”、・・・集合“Ｗｎ”が存在するとする。ここで、電子機器は、新たに測定データ“ｗ”を得たとする。また、集合“Ｗ１”〜集合“Ｗｎ”のうち、測定データ“ｗ”との差分が最も小さい要素“ｗｉ”を有する集合を集合“Ｗｊ”とする。測定データ“ｗ”と、要素“ｗｉ”との差分（｜ｗ−ｗｉ｜）が、閾値Ｔより大きい場合（｜ｗ−ｗｉ｜＞Ｔ）、電子機器は、測定データ“ｗ”が、新しい被測定者の体重であると判定し、新しい集合“Ｗ（ｎ＋１）”を作成し、測定データ“ｗ”を、集合“Ｗ（ｎ＋１）”の要素とする。電子機器は、測定データ“ｗ”を、新しく作成した集合“Ｗ（ｎ＋１）”の要素としたことをディスプレイに表示すること等によりユーザに通知し、ユーザに対し、被測定者の情報の入力を促す。なお、電子機器は、ユーザが、被測定者の情報の入力を行わない場合も、仮の状態で被測定者を設定して測定データの測定を行う。測定データ“ｗ”と、要素“ｗｉ”との差分（｜ｗ−ｗｉ｜）が、閾値Ｔ以下の場合（｜ｗ−ｗｉ｜≦Ｔ）、電子機器は、測定データ“ｗ”が、“Ｗj”に対応する被測定者の体重であると判定し、測定データ“ｗ”を、集合“Ｗj”の要素とする。
【００２５】
体重の測定結果である測定データの集合同士のデータの差分が小さい場合（集合として設定される各被測定者の体重差が近い場合）、電子機器が、測定される測定データに基づいて被測定者を識別することが困難となる。この場合、電子機器は、集合を統合する。例えば、ｎ人の被測定者に対応して、集合“Ｗ１”〜集合“Ｗｎ”があるとする。この集合のうちの任意の集合である集合“Ｗｉ”と集合“Ｗｊ”とにおいて、集合“Ｗｉ”の要素と、集合“Ｗｊ”の要素との中で最も体重差が近いものの組が、集合“Ｗｉ”の要素である要素“ｗｉ”と、集合“Ｗｊ”の要素である要素“ｗｊ”とする（ただし、ｗｉ≦ｗｊ）。この各要素の差分｜ｗｊ−ｗｉ｜が、閾値Ｔより小さい場合、電子機器は、新たな集合“Ｗ（ｎ＋１）”を作成する。集合“Ｗ（ｎ＋１）”は、集合“Ｗｉ”と集合“Ｗｊ”との和集合Ｗ（ｎ＋１）＝Ｗｉ∪Ｗｊである。集合Ｗ（ｎ＋１）に対応する被測定者は、集合“Ｗｉ”および集合“Ｗｊ”のそれぞれと対応するユーザである。
【００２６】
また、時間の経過などによって、電子機器が測定データを消去した場合など、集合内の要素同士のデータの差分が大きくなると、集合に含まれる要素を分離して、被測定者を分離することが可能であると考えられる。
【００２７】
ある集合“Ｗｉ”に含まれる要素を測定値順に整列した場合に連続する２つの要素の組のうち、最も差分が大きいものの組を要素“ｗｉ”および要素“ｗｊ”とする（ただし、ｗｉ≦ｗｊ）。この要素“ｗｉ”と要素“ｗｊ”との差分（ｗｊ−ｗｉ）が、閾値Ｔより大きい場合、電子機器は、新たに集合“Ｗ（ｎ＋１）”と集合“Ｗ（ｎ＋２）”とを作成し、集合“Ｗ（ｎ＋１）”に含まれる要素を、要素（ｗ∈Ｗｉ｜ｗ≦ｗｉ）、すなわち集合“Ｗｉ”において要素“ｗｉ”以下の大きさの要素とし、集合“Ｗ（ｎ＋２）”に含まれる要素を、要素（ｗ∈Ｗｉ｜ｗ≧ｗｊ）、すなわち集合“Ｗｊ”において要素“ｗｊ”以上の大きさの要素であるとする。
【００２８】
このように電子機器を構成することで、被測定者の体重が離れている場合は、それぞれの被測定者の体重の測定データを電子機器が個別に管理することができる。また、被測定者の体重が近い場合も、体重の測定データがそれぞれの被測定者のものであるとしてまとめて管理することにより、体重の管理を継続することができる。また、まとめて管理されている複数の被測定者の体重が離れた場合には、再び、被測定者それぞれを個別に管理することができる。
【００２９】
＜実施の形態１＞
図１を参照し、実施の形態の電子機器１０の構成を説明する。
【００３０】
＜実施の形態の電子機器の具体的な構成＞
図１は、電子機器１０の外観および機能的な構成を示す図である。図１の外観（Ａ）は、体重計である電子機器１０の外観を示す。図１の機能ブロック（Ｂ）は、電子機器１０の機能的な構成を示す。電子機器１０は、測定部１３２と、電源１３３と、操作受付部１４１と、ディスプレイ１４２と、記憶部１５０と、制御部１６０とを有する。
【００３１】
測定部１３２は、被測定者の体重を測定するための測定装置である。
電源１３３は、電子機器１０の各回路へ電力を供給するためのものである。電源１３３は、例えば電源制御用ＩＣ（Integrated  Circuit）である。
【００３２】
操作受付部１４１は、物理的な入力装置であり、ユーザによる押下操作を受け付ける。操作受付部１４１は、ユーザの押下操作に応じて、操作内容を示す信号を制御部１６０へ出力する。
【００３３】
ディスプレイ１４２は、制御部１６０の制御に応じて、画像、動画、テキストなどのデータを表示する。ディスプレイ１４２は、例えばＬＣＤ（Liquid  Crystal  Display）や有機ＥＬ（Electro-Luminescence）ディスプレイによって実現される。
【００３４】
記憶部１５０は、例えばフラッシュメモリ等により構成され、電子機器１０が使用するデータおよびプログラムを記憶する。ある局面において、記憶部１５０は、測定データ管理情報１５１を記憶する。測定データ管理情報１５１は、測定の対象である対象体（被測定者）の測定データと、対象体のそれぞれを示す各グループ（被測定者の識別情報）の少なくともいずれか１つとを対応づけた情報である。記憶部１５０は、測定データ管理情報１５１において、測定データが測定された時の情報を記憶するように構成されている。
【００３５】
制御部１６０は、記憶部１５０に記憶される制御プログラムを読み込んで、当該制御プログラムに含まれる命令を実行することにより、電子機器１０の動作を制御する。制御部１６０は、例えばアプリケーションプロセッサである。制御部１６０は、プログラムに従って動作することにより、データ取得部１６１と、データ管理部１６２としての機能を発揮する。
【００３６】
データ取得部１６１は、対象体の測定結果である測定データ（測定部１３２によって被測定者の体重を測定した測定結果）を取得する。
【００３７】
データ管理部１６２は、データ取得部１６１によって取得される測定データと記憶部１５０においてグループと対応付けて記憶されている測定データとの差分値と、予め設定される閾値（Ｔ）とを比較し、差分値が閾値（Ｔ）よりも小さい場合に、データ取得部１６１によって取得される測定データを各グループの少なくともいずれかに振り分け、差分値が閾値（Ｔ）よりも大きい場合に、データ取得部１６１によって取得される測定データを新たなグループと対応付けて記憶部１５０に記憶させる。データ管理部１６２は、測定された時から一定期間が経過した測定データを記憶部１５０の測定データ管理情報１５１から消去する。データ管理部１６２は、閾値（Ｔ）よりも小さい差分値が複数のグループにある場合に、データ取得部１６１によって取得される測定データと、複数のグループとを対応付けて記憶部１５０に記憶させる。データ管理部１６２は、各グループと対応付けて記憶部１５０に記憶される測定データ群に含まれる測定データ同士の差分が閾値を上回る場合に、測定データ群に含まれる測定データの一部を新たなグループと対応付けてグループを分離させて（分割して）記憶部１５０に記憶させる。
【００３８】
制御部１６０は、データ取得部１６１によって取得される測定データを新たなグループと対応付ける場合に、ユーザに対し、ディスプレイ１４２に情報を表示する等により、ユーザの情報の入力を促すための報知処理を行う。
【００３９】
＜データ＞
図２を参照して、電子機器１０が使用するデータのデータ構造を説明する。
【００４０】
図２は、測定データ管理情報１５１のデータ構造を示す図である。図２に示すように、測定データ管理情報１５１の各レコードは、測定日時１５１Ａと、測定データ１５１Ｂと、被測定者グループ１５１Ｃとを含む。
【００４１】
測定日時１５１Ａは、測定データが測定部１３２によって測定された日時を示す。測定データ１５１Ｂは、測定部１３２によって測定される、被測定者の体重を示す。被測定者グループ１５１Ｃは、各測定データが、いずれの被測定者に対応するものかを示す。被測定者グループ１５１Ｃにおいて、各グループ（例えば、グループＣ１（測定者１）など）は、被測定者を識別するものである。例えば、測定データにおいて、複数のグループが該当するものもある。
【００４２】
＜動作＞
図３、図４および図５を参照して、電子機器１０の動作について説明する。
【００４３】
図３は、電子機器１０に測定データが保持されていない状態における電子機器１０の動作を示すフローチャートである。例えば、電子機器１０が保持する測定データを、一定期間が経過することで電子機器１０が消去することで測定データ管理情報１５１にグループが登録されていない状態などがある。電子機器１０は、図３に示す処理を、例えば操作受付部１４１に対するユーザの操作を受け付けることで実行する。
【００４４】
ステップＳ３０１において、電子機器１０の制御部１６０は、測定部１３２によって測定された被測定者の体重を測定データ“ｗ”として取得する。
【００４５】
ステップＳ３０３において、制御部１６０は、取得した測定データ“ｗ”に対応する被測定者の測定体重の集合を示すグループ“Ｃｘ”（例えば、グループＣ１）を作成し、作成したグループ“Ｃｘ”と、取得した測定データ“ｗ”とを対応付けて測定データ管理情報１５１として記憶部１５０に記憶させる。
【００４６】
ステップＳ３０５において、制御部１６０は、作成したグループ“Ｃｘ”に対し、被測定者の情報の入力を促すための表示をディスプレイ１４２により行い、被測定者の情報の入力を受け付けて、受け付けた内容を記憶部１５０において保持する。
【００４７】
図４は、電子機器１０に１つ以上の測定データの集合がある場合における電子機器１０の動作を示すフローチャートである。電子機器１０は、図４に示す処理を、例えば操作受付部１４１に対するユーザの操作を受け付けることで実行する。
【００４８】
ステップＳ４０１において、制御部１６０は、測定部１３２によって測定された被測定者の体重を測定データ“ｗ”として取得する。
【００４９】
ステップＳ４０３において、制御部１６０は、測定データ管理情報１５１に保持される各グループに対応付けられた測定データのうち、ステップＳ４０１で取得された測定データ“ｗ”との差分が最小の測定データである要素“ｗｉ”を特定し、要素“ｗｉ”と測定データ“ｗ”との差分が閾値Ｔを上回るか否かを判定する。要素“ｗｉ”と測定データ“ｗ”との差分が閾値Ｔを上回る場合（｜ｗｉ−ｗ｜＞Ｔ）、制御部１６０は、ステップＳ４０５の処理を行い、そうでない場合（｜ｗｉ−ｗ｜≦Ｔ）、制御部１６０は、ステップＳ４０７の処理を行う。
【００５０】
ステップＳ４０５において、制御部１６０は、測定データ管理情報１５１を参照し、未だ作成されていないグループを新しく作成し、作成したグループにおいて測定データ“ｗ”を要素とするよう測定データ管理情報１５１を更新する。
【００５１】
ステップＳ４０７において、制御部１６０は、測定データ“ｗ”を、要素“ｗｉ”を有するグループの要素とするよう測定データ管理情報１５１を更新する。
【００５２】
ステップＳ４０９において、制御部１６０は、測定データ管理情報１５１を参照し、異なるグループに対応付けられた測定データのうち、差分が最小となる測定データの組を特定する。例えば、制御部１６０は、第１のグループの要素“ｗｋ”と、第２のグループの要素“ｗｌ”が、差分が最小となる測定データの組であるとして特定し、測定データである要素“ｗｋ”と、測定データである要素“ｗｌ”との差分が閾値Ｔを上回るか否かを判定する。要素“ｗｋ”と要素“ｗｌ”との差分が閾値Ｔを上回る場合（｜ｗｋ−ｗｌ｜＞Ｔ）、制御部１６０は、処理を終了し、そうでない場合（｜ｗｋ−ｗｌ｜≦Ｔ）、制御部１６０は、ステップＳ４１１の処理を行う。
【００５３】
ステップＳ４１１において、制御部１６０は、ステップＳ４０９で特定した測定データの組を含むグループを統合する。具体的には、制御部１６０は、ステップＳ４０９で第１のグループと第２のグループとを特定している場合、第１のグループの測定データの被測定者グループ１５１Ｃに第２のグループを対応付け、第２のグループの測定データの被測定者グループ１５１Ｃに第１のグループを対応付ける。
【００５４】
図５は、電子機器１０が測定データ管理情報１５１の各グループを分割する処理を示すフローチャートである。電子機器１０は、図５に示す処理を、例えば一定期間が経過した測定データを測定データ管理情報１５１から消去したタイミングにおいて、測定データ管理情報１５１に１以上のグループがある場合に実行する。
【００５５】
ステップＳ５０１において、制御部１６０は、測定データ管理情報１５１を参照し、１のグループに対応付けられた測定データを測定値順に整列した場合に連続する２つの測定データの組のうち、差分が最大となる要素の組（要素“ｗｐ”および要素“ｗｑ”）を特定し（ｗｐ≦ｗｑ）、要素“ｗｐ”と要素“ｗｑ”との差分が閾値Ｔを超えるか否かを判定する。要素“ｗｐ”と要素“ｗｑ”との差分が閾値Ｔを上回る場合（｜ｗｐ−ｗｑ｜＞Ｔ）、制御部１６０は、ステップＳ５０３の処理を行い、そうでない場合（｜ｗｐ−ｗｑ≦Ｔ｜）、処理を終了する。
【００５６】
ステップＳ５０３において、制御部１６０は、新規に２つのグループ（グループ“Ｃ（ｎ＋１）”およびグループ“Ｃ（ｎ＋２）”を作成し、ステップＳ５０１での比較の対象となった要素を含むグループにおいて、要素“ｗｐ”以下の各要素を、当該グループからグループ“Ｃ（ｎ＋１）”へと対応付けを変更し、要素“ｗｑ”以上の各要素を、当該グループからグループ“Ｃ（ｎ＋２）”へと対応付けを変更して測定データ管理情報１５１を更新する。
【００５７】
＜実施の形態２＞
次に、別の実施の形態について説明する。
【００５８】
実施の形態１の電子機器は、電子機器が測定部１３２を有して測定データを取得することとして説明した。これに対し、実施の形態２の電子機器は、通信機能を有し、外部の装置から測定データを取得することとしてもよい。すなわち、実施の形態１で説明した電子機器１０の測定部１３２と電源１３３とが別のデバイスであってもよい。
【００５９】
本実施の形態に係る電子機器は、プロセッサと、その上で実行されるプログラムにより実現される。本実施の形態を実現するプログラムは、通信インタフェースを介してネットワークを利用した送受信等により提供される。
【００６０】
今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【符号の説明】
【００６１】
１０  電子機器、１３２  測定部、１３３  電源、１４１  操作受付部、１４２  ディスプレイ、１５０  記憶部、１５１  測定データ管理情報、１６０  制御部、１６１  データ取得部、１６２  データ管理部。
【図１】
2017096795.tif 000003
【図２】
2017096795.tif 000004
【図３】
2017096795.tif 000005
【図４】
2017096795.tif 000006
【図５】
2017096795.tif 000007